(57)【要約】【課題】平方向へ伸びるダクトへ組み込みが可能であって、水分除去効率を向上させるとともに、設置スペースをコンパクトにできるデミスタ装置を提供する。【解決手段】水平方向へ伸びるダクト２に組み込まれるデミスタ装置１であって、前記ダクト２内の流路の上流側から下流側に向けて下向きに傾斜して配置されるフィルタエレメント３と、該フィルタエレメント３の上端部３ａを前記ダクト２内の上方内壁に支持する上端支持部材４と、前記フィルタエレメント３の下端部３ｂを前記ダクト２内の下方内壁に支持するとともに前記ダクト２内の流路Ｓの上流側から下流側へ空気を通過させるバイパス部５を形成する下端支持部材６と、前記フィルタエレメント３の下方のダクト２の内壁に設けられる排水部７とを備えている。【選択図】図２
2009219944.tif 000002
【特許請求の範囲】
【請求項１】
水平方向へ伸びるダクトに組み込まれるデミスタ装置であって、
前記ダクト内の流路の上流側から下流側に向けて下向きに傾斜して配置されるフィルタエレメントと、
該フィルタエレメントの上端部を前記ダクト内の上方内壁に支持する上端支持部材と、
前記フィルタエレメントの下端部を前記ダクト内の下方内壁に支持するとともに前記ダクト内の流路の上流側から下流側へ空気を通過させるバイパス部を形成する下端支持部材と、
前記フィルタエレメントの下方のダクトの内壁に設けられる排水部
とを備えてなるデミスタ装置。
【請求項２】
前記バイパス部の下流側に前記ダクトの流路を横断するように設けられる水切り板を備えてなる請求項1記載のデミスタ装置。
【請求項３】
前記水切り板の端部が前記ダクトの底壁側に向いた円弧状にされている請求項２記載のデミスタ装置。
【発明の詳細な説明】
【技術分野】
【０００１】
本発明はデミスタ装置に関する。さらに詳しくは、水平方向へ伸びるダクトへ組み込まれるデミスタ装置に関する。
【背景技術】
【０００２】
従来のデミスタ装置として、焼付乾燥炉の排気ダクトの途中に設けられる排気ファンの下流側に配置される湿式フィルタ装置を通過した排気の水滴を回収するために、大気に開放する排気ダクトに連接したフィルタチャンバー（ダクト）内に組み込まれたものがある（特許文献１参照）。
このデミスタ装置は、設置空間の制約からコンパクトな形状にするため、また、圧力損失を低くするために、図５に示されるように、ダクト１００の流路横断面（全面）にわたって垂直に設置されたフィルタ１０１とされている。
【０００３】
【特許文献１】特開平４−２１９１１９号公報
【発明の開示】
【発明が解決しようとする課題】
【０００４】
しかしながら、乾燥炉に近い部位に排気ファンが設定されている場合、汚れや腐食にさらされやすくなるため、ファンまでの排気ダクトを長くした対策が必要になり、設備が大型になりやすいという問題がある。
また、図６に示されるように、デミスタ装置としてのフィルタ１０１の直後にファンやダクト１０２に接続して流路１０３が狭くなると、この箇所でファンの吸引圧力が強まり、ダクト１００およびフィルタ１０１の中央付近へ空気の流れが集中するため、フィルタ１０１の一部しか機能しないうえ、流速が速くなるので、捕集された水分がフィルタ１０１の下部へ排水されずに流路１０３の下流へ再飛散（飛散領域Ｒ参照）してしまい、水分除去効率（水分回収率）が低下してしまうという問題がある。なお、図６において、矢印Ｘ１、Ｘ２は気流である。
これを防ぐため、フィルタ１０１の前後で流路の広さを確保したままで長くすることが考えられる。
しかし、その結果、デミスタ装置の設置スペースが大きくなってしまう別の問題が発生する。
【０００５】
そこで、本発明は、叙上の事情に鑑み、水平方向へ伸びるダクトへ組み込みが可能であって、水分除去効率を向上させるとともに、設置スペースをコンパクトにできるデミスタ装置を提供することを目的とする。
【課題を解決するための手段】
【０００６】
本発明のデミスタ装置は、水平方向へ伸びるダクトに組み込まれるデミスタ装置であって、前記ダクト内の流路の上流側から下流側に向けて下向きに傾斜して配置されるフィルタエレメントと、該フィルタエレメントの上端部を前記ダクト内の上方内壁に支持する上端支持部材と、前記フィルタエレメントの下端部を前記ダクト内の下方内壁に支持するとともに前記ダクト内の流路の上流側から下流側へ空気を通過させるバイパス部を形成する下端支持部材と、前記フィルタエレメントの下方のダクトの内壁に設けられる排水部とを備えてなることを特徴としている。
【発明の効果】
【０００７】
本発明によれば、ダクト内の流路の上流側から下流側へ常時空気を通過させるバイパス部を形成することにより、空気が抵抗のあるフィルタエレメントを避けてバイパス部を流れることから、流路の集中を防ぐとともにフィルタエレメントの中央付近への空気の流れが集中しなくなる。このため、フィルタエレメントの全表面にて水分捕集ができるとともに、再飛散が少なくなって、水分除去効率を向上させることができる。
また、気流が下を向くことによって飛散水分を下へ導くこともできる。
【０００８】
また、本発明のデミスタ装置は、フィルタエレメントの両側（流路の上流側と下流側）に広い流路を必要としないとともに、部品点数が少ないことから、設置スペースおよび装置自体をコンパクトにすることができる。
また、フィルタエレメントの直後にファンおよびダクトを接続しても、装置全長が短いので、全体設備をコンパクトにできる。
さらに、これにより、設置工事費および保守点検に掛かる費用を安価にできる。
【発明を実施するための最良の形態】
【０００９】
本発明のデミスタ装置は、エアクリーナ、空気浄化設備、ガス処理設備、厨房などの排気設備などに使用される、水平方向へ伸びるダクトに組み込で用いることができる。
ダクトとしては、角ダクト、円筒ダクトまたは楕円ダクトを用いることができる。
【００１０】
以下、添付図面に基づいて本発明のデミスタ装置を説明する。図１に示されるように、本発明の一実施の形態にかかわるデミスタ装置１は、水などの液体を洗浄液として、ダクトＡと吸引ファンＢとのあいだに連結されるダクト（以下、吸引ダクトという）２に組み込まれている。この吸引ダクト２の形状は、断面が角型をしている。
前記デミスタ装置１は、図２〜４に示されるように、前記吸引ダクト２内の流路Ｓの上流側から下流側に向けて下向きに傾斜するフィルタエレメント３と、該フィルタエレメント３の上端部３ａを支持する上端支持部材４と、該フィルタエレメント３の下端部３ｂを支持するとともにバイパス部５を形成する下端支持部材６と、前記フィルタエレメント３の下方の吸引ダクト２の内壁（底壁）２ｂに設けられる排水部７とから構成されている。
【００１１】
前記フィルタエレメント２としては、水分を捕集できる構造体であれば、とくに限定されるものではないが、たとえば多孔質板や、多数の線材を積み重ねて作製した板状体、金属の繊維から形成されたフィルタなどを適宜選定して用いることができる。
【００１２】
前記上端支持部材４は、流路Ｓの横断面の幅寸法を有する大きさであり、またフィルタエレメント３の上端部３ａを吸引ダクト２内の上方内壁２ａに支持することができれば、とくに限定されるものではない。
また、前記下端支持部材６は、フィルタエレメント３の下端部３ｂを吸引ダクト２内の下方内壁（底壁）２ｂに支持するとともに流路Ｓの横断面の一部を塞ぐ形状であれば、とくに限定されるものではない。
本実施の形態では、前記上端支持部材４は断面がコ字状の凹部を有する爪部材であり、前記下端支持部材６は、この上端支持部材４の幅より短い幅寸法で、Ｖ字状の凹部を有する爪部材である。前記フィルタエレメント３は、これらの爪部材に差し込んで固定されている。
【００１３】
また、前記バイパス部５は、前記吸引ダクト２内の流路Ｓの上流側から下流側へ空気を通過させる構造であれば、とくに限定されるものではないが、本実施の形態では、前記フィルタエレメント３の下端部３ｂの一部（中央部位）を下端支持部材６に支持させることにより、この下端支持部材６の両側に形成されている。
このバイパス部５を形成させることにより、空気が抵抗のあるフィルタエレメント３を避けてバイパス部５を流れることから、流路Ｓの集中を防ぐとともにフィルタエレメント３の中央付近（矢印Ｒ１参照）への空気の流れが集中しなくなる。
なお、本実施の形態におけるバイパス部５は、下端支持部材６の両側に形成されているが、本発明においては、これに限定されるものではなく、たとえば幅寸法の大きい下端支持部材を用いてフィルタエレメント３を支持する範囲を広くして下端支持部材の片側だけにしたり、幅寸法が流路Ｓの横断面の寸法に合わせた下端支持部材を用いてこの下端支持部材に切欠きを入れて形成することができる。
【００１４】
前記排水部７は、吸引ダクト２の下方において流路Ｓの上流側の底壁２ｂと下流側の底壁２ｂを窪ませるように傾斜させた交差部８の両側内壁に連通して設けられている。この傾斜交差部８により排水性が良くされている。底壁２ｂに集められた水は、この排水部７に継手を介して接続されるホースを通して外部に排出される。
【００１５】
また、本実施の形態では、前記バイパス部５の下流側位置において前記吸引ダクト２の対向する側壁に流路Ｓを横断するように水切り板１１が設けられている。この水切り板１１は、流路を邪魔しない位置に設置されており、前記バイパス部５に向けて傾斜している。
この水切り板１１を設置することにより、バイパス部５を通る空気が底壁２ｂに溜まった水分を再び巻き上げて再飛散することを防ぐことができる。
さらに、水切り板１１からの再飛散を防ぐため、水切り板１１の上下端部１１ａは底壁２ｂ側に向いた円弧状にするのが好ましい。
【００１６】
以上説明したとおり、本実施の形態では、空気が抵抗のあるフィルタエレメントを避け、バイパス部を流れることにより、流路の集中を防ぐとともに、下方への空気の流れを作り出し、重力作用と空気の流れの力による水分離を生じさせて、フィルタ自体への水分浸透を減らすことができる。これにより、水分除去効率を向上させることができる。
また、バイパス部によりタンクの底壁側への空気の流れを作り出すことにより、フィルタ表面に付着した水分は底壁（下方）へ誘導されやすくなる。
さらに、フィルタエレメントが底壁と接していないため、フィルタ自身に水を蓄積することもない。
【図面の簡単な説明】
【００１７】
【図１】本発明の一実施の形態にかかわるデミスタ装置の使用例を説明する図である。
【図２】図１におけるデミスタ装置の拡大断面図である。
【図３】図２の右側面図である。
【図４】図２のＩ−Ｉ線断面図である。
【図５】従来のデミスタ装置を説明する概略図である。
【図６】従来のデミスタ装置の問題点を説明する概略図である。
【符号の説明】
【００１８】
１    デミスタ装置
２    吸引ダクト
２ａ  内壁
２ｂ  内壁（底壁）
３    フィルタエレメント３
３ａ  上端部
３ｂ  下端部
４    上端支持部材
５    バイパス部
６    下端支持部材
７    排水部
１１  水切り板
Ｓ    流路
【図１】
2009219944.tif 000003
【図２】
2009219944.tif 000004
【図３】
2009219944.tif 000005
【図４】
2009219944.tif 000006
【図５】
2009219944.tif 000007
【図６】
2009219944.tif 000008